(57)【特許請求の範囲】
【請求項１】
印字形式として複数の背景パターンを識別データと対応付けて記憶するとともに、取引処理及び／又は領収書に関わるダミーデータと操作ガイダンスに係るレシートガイダンスデータとを記憶する記憶手段と、
この記憶手段に記憶されたレシートガイダンスデータに基づいた操作ガイダンスの印字と、前記記憶手段に記憶された取引処理及び／又は領収書に関わるダミーデータに基づいてレシート用紙に印字するサンプルレシート又はサンプル領収書に各背景印字パターンと識別データとを対応付けて前記複数の背景パターンの全てのサンプル印字とをレシート用紙に行う印字手段と、
この印字手段により印字されたサンプル印字の識別データを任意に指定する指定手段と、
売上データの処理に伴うデータ印字に際して、前記指定手段により指定された識別データに対応する背景印字パターンを前記記憶手段から読み出して設定して、前記印字手段によるレシート用紙への当該データ印字を制御する印字制御手段と、
を備えたことを特徴とするデータ印字装置。
【請求項２】
レシート用紙へデータを印字するためのコンピュータに
印字形式として複数の背景パターンを識別データと対応付けて記憶するとともに、取引処理及び／又は領収書に関わるダミーデータと操作ガイダンスに係るレシートガイダンスデータとを記憶する記憶手段、
この記憶手段に記憶されたレシートガイダンスデータに基づいた操作ガイダンスの印字と、前記記憶手段に記憶された取引処理及び／又は領収書に関わるダミーデータに基づいてレシート用紙に印字するサンプルレシート又はサンプル領収書に各背景印字パターンと識別データとを対応付けて前記複数の背景パターンの全てのサンプル印字とをレシート用紙に行う印字手段、
この印字手段により印字されたサンプル印字の識別データを任意に指定する指定手段、
売上データの処理に伴うデータ印字に際して、前記指定手段により指定された識別データに対応する背景印字パターンを前記記憶手段から読み出して設定して、前記印字手段によるレシート用紙への当該データ印字を制御する印字制御手段、
として機能させるためのプログラムを記録したコンピュータ読み取り可能な記憶媒体。
【発明の詳細な説明】
【０００１】
【発明の属する技術分野】
本発明は、データ印字装置に係り、詳細には、取引データを印字するデータ印字装置に関する。
【０００２】
【従来の技術】
ＥＣＲ（電子式キャッシュレジスタ）およびＰＯＳ（Point Of Scales System）端末装置は、入力された売上データを出力し、その売上データを累計（登録）し、登録された売上金額や売上個数、売上回数等を出力する点検、精算を行う装置であり、また、百貨店、スーパーマーケット、コンビニエンスストアなどの売り場に設置し、商品管理、顧客管理、売上管理等に利用するデータを即時に収集する端末装置である。
【０００３】
これら従来のＥＣＲ装置やＰＯＳ端末装置では、取引処理に関わる設定値やレシート印字処理に関わる設定値等を変更する設定モードが設けられており、その設定方法は取扱説明書を見ながら設定値を決め、設定モードでその設定値を入力するといった方法で行われている。
【０００４】
【発明が解決しようとする課題】
しかしながら、このような従来のＥＣＲ装置やＰＯＳ端末装置に備えられた設定モードにあっては、例えば、レシートの印字フォーマットの背景パターン（取引データの背景として印字する図柄やポップ等）を選択する場合は、まず、設定モードで取扱説明書に記載されている背景パターンの内容を示すコードを指定して入力し、次いで、ＲＥＧモードに切り替えて指定した背景パターンの登録処理を行うという、２段階の操作を繰り返し行って最終的に１つの背景パターンを決定するようになっていたため、設定操作が煩雑であるという問題があった。
【０００５】
また、設定した背景パターンを含むレシートの実際の印字イメージが設定段階では確認することができないため、予想した印字イメージと異なるような場合は再度煩雑な設定操作が必要となり、設定操作を一層煩雑にしている。
【０００６】
本発明の課題は、設定モードにおいて全背景パターンの印字サンプルを印字し、その印字サンプルに割り付けた番号を入力することにより背景パターンの設定を完了して、設定操作を簡単かつ容易にすることである。
【０００７】
【課題を解決するための手段】
請求項１記載の発明は、印字形式として複数の背景パターンを識別データと対応付けて記憶するとともに、取引処理及び／又は領収書に関わるダミーデータと操作ガイダンスに係るレシートガイダンスデータとを記憶する記憶手段と、この記憶手段に記憶されたレシートガイダンスデータに基づいた操作ガイダンスの印字と、前記記憶手段に記憶された取引処理及び／又は領収書に関わるダミーデータに基づいてレシート用紙に印字するサンプルレシート又はサンプル領収書に各背景印字パターンと識別データとを対応付けて前記複数の背景パターンの全てのサンプル印字とをレシート用紙に行う印字手段と、この印字手段により印字されたサンプル印字の識別データを任意に指定する指定手段と、売上データの処理に伴うデータ印字に際して、前記指定手段により指定された識別データに対応する背景印字パターンを前記記憶手段から読み出して設定して、前記印字手段によるレシート用紙への当該データ印字を制御する印字制御手段と、を備えたことを特徴としている。
【０００９】
したがって、印字形式の設定に際して、印字サンプルを確認しながら識別データを指定するだけで所望の印字形式を指定することができ、印字形式の設定操作を容易かつ確実に行うことができ、ユーザーの作業負担を軽減することができる。
【００１０】
【発明の実施の形態】
以下、図を参照して本発明の実施の形態を詳細に説明する。
図１〜図８は、本発明のデータ印字装置を適用したＥＣＲの一実施の形態を示す図である。
【００１１】
まず、構成を説明する。
図１は、本実施の形態におけるＥＣＲ１の要部構成を示すブロック図である。この図１において、ＥＣＲ１は、ＣＰＵ２、入力装置３、ＲＡＭ４、ドロア５、表示装置６、印刷装置７、記憶装置８、及び記憶媒体９により構成されており、記憶媒体９を除く各部はバス１０により接続されている。
【００１２】
ＣＰＵ（Central Processing Unit ）２は、記憶媒体９に格納されている各種制御プログラムに従ってＲＡＭ４との間で各種データの授受を行いながら各種動作に必要な数値を演算処理し、この演算処理に基づいてＥＣＲ１内の各部を制御するための各種制御信号を出力する。
【００１３】
また、ＣＰＵ２は、レシートに印字する背景パターンを設定するため後述する背景パターン設定処理（図３参照）を実行し、背景パターン設定に関わるコードが入力されると、この入力コードからレシート種別（レシートか領収書か）を判別し、レシートの場合はＲＡＭ４内のレシートガイダンスデータメモリ４ｄからレシートガイダンスデータを読み出して印刷装置７によりレシートガイダンスを印字し、続いてＲＡＭ４内の背景パターンデータメモリ４ｃから背景パターンデータと、レシートサンプルデータメモリ４ｅからレシートサンプルデータと、を順次読み出して合成して全背景パターンについてレシートサンプルを印刷装置７により順次印刷する。
【００１４】
また、ＣＰＵ２は、入力コードが領収書の場合はＲＡＭ４内の背景パターンデータメモリ４ｃから背景パターンデータと、領収書ガイダンスデータメモリ４ｆから領収書ガイダンスデータと、領収書サンプルデータメモリ４ｇから領収書サンプルデータと、を順次読み出して合成して全背景パターンについてレシートを利用した領収書サンプルを印刷装置７により順次印刷する。
【００１５】
そして、ＣＰＵ２は、印刷したレシートサンプル、あるいは領収書サンプルに割り付けた設定値が入力されると、その背景パターンの設定確認レシートを印刷装置７により印刷し、変更指示の有無を確認した後、指定された背景パターンＮｏ．を設定ファイルに設定してＲＡＭ４内の設定ファィルメモリ４ｂに記憶する。
【００１６】
さらに、ＣＰＵ２は、後述する登録処理（図７参照）を実行し、売上データが入力されると、売上データ更新処理を行って、その売上データが一取引の最初か否かを判別し、一取引の最初である場合は、ＲＡＭ４内の設定ファイルメモリ４ｂに設定されている背景パターンＮｏ．を参照して、ＲＡＭ４内の背景パターンデータメモリ４ｃから該当する背景パターンを読み出して、一取引の最初の売上データ印字行に対応する最初の背景パターン部分を合成し、一取引の最初の売上データでない場合は次の売上データ印字行部分に対応する次の背景パターンを合成し、その合成データをレシートに印字する。また、ＣＰＵ２は、締め入力が行われると、締め処理を行って、その締めデータ印字行部分に対応する次の背景パターンを合成し、その合成データをレシートに印字する。
【００１７】
入力装置３は、図示しないがモードキー、クラークキー、テンキー、ファンクションキー等を備え、ユーザーによる各キー操作に応じた各種キー入力信号をＣＰＵ２に出力する。
【００１８】
ＲＡＭ（Random Access Memory）４は、図２に示すように、売上データメモリ４ａと、設定ファイルメモリ４ｂと、背景パターンデータメモリ４ｃと、レシートガイダンスデータメモリ４ｄと、レシートサンプルデータメモリ４ｅと、領収書ガイダンスデータメモリ４ｆと、領収書サンプルデータメモリ４ｇと、ワークメモリ４ｈと、をメモリエリアとして有している。
【００１９】
売上データメモリ４ａは、売上処理において入力される売上データを記憶する。設定ファィルメモリ４ｂは、上記背景パターン設定処理に際して決定される背景パターンＮｏ．を設定した設定ファイルを記憶する。背景パターンデータメモリ４ｃは、レシートの背景として印字する複数の背景パターンデータを記憶する。レシートガイダンスデータメモリ４ｄは、上記背景パターン設定処理に際して背景パターンを含むレシートサンプルを順次印字する際に、先頭部分やレシートとレシートの間に設定するガイダンス印字領域に印字するガイダンスデータ（操作ガイダンス、パターンＮｏ．、入力値）を記憶する。
【００２０】
レシートサンプルデータメモリ４ｅは、上記背景パターン設定処理に際して背景パターンを含むレシートサンプルを順次印字する際に、そのレシートサンプル上に印字される取引処理に関わるダミーデータ（商品データ、売上データ、締めデータ等）を記憶する。
【００２１】
領収書ガイダンスデータメモリ４ｆは、上記背景パターン設定処理に際して背景パターンを含む領収書サンプルを順次印字する際に、先頭部分や領収書と領収書の間に設定するガイダンス印字領域に印字するガイダンスデータ（操作ガイダンス、パターンＮｏ．、入力値）を記憶する。
【００２２】
領収書サンプルデータメモリ４ｇは、上記背景パターン設定処理に際して背景パターンを含む領収書サンプルを順次印字する際に、その領収書サンプル上に印字される領収書に関わるダミーデータを記憶する。
【００２３】
ワークメモリ４ｅは、ＣＰＵ２により各種処理が実行される際に処理中のプログラムや処理中の各種データが一時的に記憶されるメモリエリアである。
【００２４】
ドロア５は、現金を収納し、入力装置３において”現金／預かり金キー”等が操作された際に開放される。表示装置６は、液晶ディスプレイ等から構成され、ＣＰＵ２、入力装置３及びＲＡＭ４から入力される演算結果、各種データ、売上データ、設定データ等を表示する。
【００２５】
印刷装置７は、例えば、セグメント単位のサーマル素子がライン状に配列された印字ヘッド部とレシート用紙及びジャーナル用紙がセットされる搬送部とにより構成され、ＣＰＵ２から所定の時間間隔で１ライン毎に入力される取引きデータをレシート用紙及びジャーナル用紙に印字するとともに、ＣＰＵ２から所定の時間間隔で１ライン毎に入力される背景パターンが合成されたサンプルレシートとサンプル領収書をレシート用紙に印字する。
【００２６】
記憶装置８は、プログラムやデータ等か予め記憶されている記憶媒体９を有しており、この記憶媒体９は磁気的、光学的記録媒体、若しくは半導体メモリで構成されている。この記憶媒体９は記憶装置８に固定的に設けたもの、若しくは着脱自在に装着するものであり、この記憶媒体９には上記取引処理プログラム、背景パターン設定処理プログラム、登録処理プログラム、及び取引処理プログラムで処理されたデータ等を記憶する。
【００２７】
また、この記憶媒体９に記憶するプログラム、データ等は、通信回線等を介して接続された他の機器から受信して記憶する構成にしてもよく、更に、通信回線等を介して接続された他の機器側に上記記憶媒体を備えた記憶装置を設け、この記憶媒体に記憶されているプログラム、データを通信回線を介して使用する構成にしてもよい。
【００２８】
次に、本実施の形態の動作を説明する。
まず、本実施の形態のＣＰＵ２により実行される背景パターン設定処理について図３に示すフローチャートに基づいて説明する。
【００２９】
まず、ＣＰＵ２は、入力装置３においてモード切替え操作が行われると設定モードか否かを確認し（ステップＳ１）、設定モードではなく（ステップＳ１：Ｎ）、通常のレジモードあるいはＸ（点検）／Ｚ（精算）モードに切り替えられた場合は、それぞれ対応する処理を実行して（ステップＳ１３）、本処理を終了する。
【００３０】
また、ＣＰＵ２は、設定モードに切り替えられると（ステップＳ１：Ｙ）、背景パターンの設定を指示する該当コードが入力されたか否かを確認する（ステップＳ２）。該当コードが入力されなければ（ステップＳ２：Ｎ）、ＣＰＵ２は、通常のプログラム処理を実行して（ステップＳ１４）、本処理を終了する。該当コードが入力されれば（ステップＳ２：Ｙ）、ＣＰＵ２は、背景パターンの設定対象のレシート種別がレシートを選択されたか領収書を選択されたかを判別する（ステップＳ３）。
【００３１】
レシートが選択された場合（ステップＳ３：Ｙ）、ＣＰＵ２は、ＲＡＭ４内のレシートガイダンスデータメモリ４ｄからレシートガイダンスデータ（操作ガイダンス）を読み出して印刷装置７によりサンプルレシートの先頭部分に印字させる（ステップＳ４）。このレシートガイダンスの印字例を図４に示す。図４に示すように、サンプルレシートの先頭部分には、「レシート背景印字の設定を行います。  以下のパターンの中から１つ選び、数値（０〜４）を入力し、＜現金＞キーを押して下さい。」というガイダンスが印字されている。
【００３２】
また、領収書が選択された場合（ステップＳ３：Ｎ）、ＣＰＵ２は、ＲＡＭ４内の領収書ガイダンスデータメモリ４ｆから領収書ガイダンスデータ（操作ガイダンス）を読み出して印刷装置７によりサンプル領収書レシートの先頭部分に印字させる（ステップＳ５）。この領収書ガイダンスの印字例を図６に示す。図６に示すように、サンプル領収書レシートの先頭部分には、「領収書背景印字の設定を行います。  以下のパターンの中から１つ選び、数値（０〜１）を入力し、＜現金＞キーを押して下さい。」というガイダンスが印字されている。
【００３３】
次いで、ＣＰＵ２は、サンプルレシートの場合はＲＡＭ４内の背景パターンデータメモリ４ｃから１つの背景パターンデータと、レシートサンプルデータメモリ４ｅからレシートサンプルデータと、を順次読み出して合成してサンプルレシートを印刷装置７によりレシート用紙に印刷発行させる（ステップＳ６）。
【００３４】
また、ＣＰＵ２は、領収書の場合はＲＡＭ４内の背景パターンデータメモリ４ｃから１つの背景パターンデータと、領収書ガイダンスデータメモリ４ｆから領収書ガイダンスデータと、領収書サンプルデータメモリ４ｇから領収書サンプルデータと、を順次読み出して合成してサンプル領収書レシートを印刷装置７によりレシート用紙に印刷発行させる（ステップＳ６）。
【００３５】
そして、ＣＰＵ２は、全背景パターンについてサンプルレシートあるいはサンプル領収書レシートを印刷発行したか否かを判別する（ステップＳ７）。すなわち、本実施の形態では、ＲＡＭ４内の背景パターンデータメモリ４ｃに記憶されたレシート用の背景パターンはパターンＮｏ．０〜４の５パターン記憶され、領収書用の背景パターンはパターンＮｏ．０，１の２パターン記憶されているものとするが、ともにパターンＮｏ．０は「背景パターン無し」である。
【００３６】
したがって、サンプルレシートがパターンＮｏ．０で発行される場合、図４に示すように、背景パターンは印刷されない（サンプル領収書レシートもパターンＮｏ．０の場合、同様に背景パターンは印刷されない）。続いて、図４、図５に示すように、パターンＮｏ．１〜４についてそれぞれ背景パターンを合成したサンプルレシートが発行され、パターンＮｏ．１について背景パターンを合成したサンプル領収書レシートが発行される（図６参照）。
【００３７】
また、各サンプルレシートと各サンプル領収書レシートの各先頭部分には、背景パターンＮｏ．と入力値（背景パターンを設定する値）が操作ガイダンスとして印字されーている。この入力値は背景パターン毎に予め割り付けられて設定されている。
【００３８】
以上のサンプル印刷処理により、ＣＰＵ２は、全背景パターンについてサンプルレシートあるいはサンプル領収書レシートの発行終了を確認すると（ステップＳ７：Ｙ）、サンプルレシートあるいはサンプル領収書レシートの各線頭部分に印刷した入力値の入力を確認し、その入力された入力値が正しいか否か判別する（ステップＳ８）。入力された入力値が正しいと判別すると（ステップＳ８：Ｙ）、ＣＰＵ２は、その設定値を確認するための確認レシートを、印刷装置７によりサンプルレシートあるいはサンプル領収書レシートの後に印刷発行させる（ステップＳ９）。この設定確認レシートの印刷例を図５と図６に示す。
【００３９】
次いで、ＣＰＵ２は、設定確認レシートに示した設定結果について変更指示が入力されるか、確定指示が入力されるかを確認し（ステップＳ１０、Ｓ１１）、変更指示が入力された場合は（ステップＳ１０：Ｙ）、ステップＳ８に戻って、再度設定値を入力させる。また、変更指示が入力されず（ステップＳ１０：Ｎ）、確定指示が入力された場合は（ステップＳ１１：Ｙ）、その設定内容である背景パターンＮｏ．をＲＡＭ４内の設定ファイルメモリ４ｂに記憶して（ステップＳ１２）、本処理を終了する。
【００４０】
次に、本実施の形態のＣＰＵ２により実行される登録処理について図７に示すフローチャートに基づいて説明する。
【００４１】
ＣＰＵ２は、入力装置３のモードキーが登録モードに切り替えられたか否かを監視し、登録モードに切り替えられると図７の登録処理を開始する。図７において、ＣＰＵ２は、まず、売上データが入力されたか否かを判別する（ステップＳ２１）。売上データが入力されると（ステップＳ２１：Ｙ）、ＣＰＵ２は売上データ更新処理を行って（ステップＳ２２）、その売上データが一取引の最初か否かを判別する（ステップＳ２３）。
【００４２】
その売上データが一取引の最初である場合（ステップＳ２３：Ｙ）、ＣＰＵ２は、ＲＡＭ４内の設定ファイルメモリ４ｂに設定されている背景パターンＮｏ．を参照して、ＲＡＭ４内の背景パターンデータメモリ４ｃから該当する背景パターンを読み出してワークメモリ４ｈに展開し（ステップＳ２４）、一取引の最初の売上データ印字行に対応する図８に示す最初の背景パターン部分を合成し（ステップＳ２５）、その合成データを印刷装置７によりレシート用紙に印字させて（ステップＳ３０）、本処理を終了する。また、入力された売上データが一取引の最初の売上データでない場合（ステップＳ２３：Ｎ）、ＣＰＵ２は、次の売上データ印字行部分に対応する次の背景パターンを合成し（ステップＳ２６）、その合成データを印刷装置７によりレシート用紙に印字させて（ステップＳ３０）、本処理を終了する。
【００４３】
また、ＣＰＵ２は、売上データが入力されない場合（ステップＳ２１：Ｎ）、締め入力が行われたか否かを判別する（ステップＳ２７）。締め入力が行われると（ステップＳ２７：Ｙ）、締め処理を行って（ステップＳ２８）、その締めデータ印字行部分に対応する次の背景パターンを合成し（ステップＳ２９）、その合成データを印刷装置７によりレシート用紙に印字させて（ステップＳ３０）、本処理を終了する。
【００４４】
さらに、ＣＰＵ２は、締め入力も行われない場合（ステップＳ２７：Ｎ）、その他の入力指示であるため、その入力指示に応じた他の処理を行って（ステップＳ３１）、本処理を終了する。
【００４５】
以上のように、本実施の形態のＥＣＲ１では、レシートに印字する背景パターンを登録設定する際には、背景パターン設定処理により予め記憶された全背景パターンについてサンプルレシートあるいはサンプル領収書レシートがレシート用紙に印字され、各サンプルレシートと各サンプル領収書レシートには操作ガイダンスとして背景パターンの設定入力方法（入力値）まで印字されるため、ユーザーは印字サンプルを見て実際の印字イメージを確認しながら操作ガイダンスに従って所望の背景パターンを設定することができる。
【００４６】
したがって、背景パターンの設定に際して煩雑な設定操作を繰り返し行う必要がなくなり、背景パターンの設定操作を容易かつ確実に行うことができ、ユーザーの作業負担を軽減することができる。
【００４７】
なお、上記実施の形態では、レシート用紙の印刷をＥＣＲ１に内蔵される印刷装置７により行う場合を示したが、外部に接続される印刷装置（伝票プリンタ、シリアルプリンタ）で行うようにしてもよい。
【００４８】
また、上記実施の形態では、レシート用紙に印字する複数の背景パターンを設定する場合を示したが、背景パターン以外に印字データの配置、印字データの種類、印字データのサイズ等を設定した複数の印字フォームを設定することも可能である。
【００４９】
さらに、上記実施の形態では、本発明をＥＣＲに適用した場合を説明したが、同様に取引処理を行うＰＯＳ端末装置等に対しても本発明は適用可能である。
【００５０】
【発明の効果】
請求項１記載の発明のデータ印字装置、及び請求項２記載の発明の記憶媒体によれば、印字形式の設定に際して、印字サンプルを確認しながら識別データを指定するだけで所望の印字形式を指定することができ、印字形式の設定操作を容易かつ確実に行うことができ、ユーザーの作業負担を軽減することができる。
【００５１】
しかも、請求項１及び２記載の発明によれば、レシートに印字する背景印字パターンの設定に際して、レシートの印字サンプルを確認しながら識別データを指定するだけで所望の背景印字パターンを指定することができ、背景印字パターンの設定操作を容易かつ確実に行うことができ、ユーザーの作業負担を軽減することができる。
【図面の簡単な説明】
【図１】本発明を適用した一実施の形態におけるＥＣＲ１の要部構成を示すブロック図である。
【図２】図１のＲＡＭ４内のメモリ構成を示す図である。
【図３】図１のＣＰＵ２により実行される背景パターン設定処理を示すフローチャートである。
【図４】図３の背景パターン設定処理に際してサンプル印字される背景パターン設定レシートの一部を示す図である。
【図５】図４に続く背景パターン設定レシートの一部を示す図である。
【図６】図３の背景パターン設定処理に際してサンプル印字される領収書設定レシートの一例を示す図である。
【図７】図１のＣＰＵ２により実行される登録処理を示すフローチャートである。
【図８】図７の登録処理に際してレシート用紙に合成印字される背景パターンの一例を示す図である。
【符号の説明】
１    ＥＣＲ
２    ＣＰＵ
３    入力装置
４    ＲＡＭ
４ａ  売上データメモリ
４ｂ  設定ファイルメモリ
４ｃ  背景パターンデータメモリ
４ｄ  レシートガイダンスデータメモリ
４ｅ  レシートサンプルデータメモリ
４ｆ  領収書ガイダンスデータメモリ
４ｇ  領収書サンプルデータメモリ
４ｈ  ワークメモリ
５    ドロア
６    表示装置
７    印刷装置
８    記憶装置
９    記憶媒体
１０    バス
【図１】
0003911873.tif 000002
【図２】
0003911873.tif 000003
【図３】
0003911873.tif 000004
【図４】
0003911873.tif 000005
【図５】
0003911873.tif 000006
【図６】
0003911873.tif 000007
【図７】
0003911873.tif 000008
【図８】
0003911873.tif 000009